(57)【要約】【課題】  以前に出力して形成した形成画像がどのような状態で出力されたか、あるいは、どのような形成画像が出力されたかが容易に分り、結局、コピー枚数の増加を防止する低コストで小型の画像形成装置を提供する。【解決手段】  内部の画像データ若しくは外部に出力する画像データを保持して画像を形成する画像形成装置において、読み込まれた原稿画像を画像処理する画像処理部（ＩＰＵ）１と、上記画像処理部（ＩＰＵ）１で画像処理された画像データに基づき画像を形成する作像部３と、上記画像処理部（ＩＰＵ）１から上記作像部３に出力される上記画像データと上記作像部３にて作像する際の作像条件の作像条件データ４とを記録して保持するデータ記録保持部５と、からなる。【選択図】  図１
2005258304.tif 000002
【特許請求の範囲】
【請求項１】
内部の画像データ若しくは外部に出力する画像データを保持して画像を形成する画像形成装置において、読み込まれた原稿画像を画像処理する画像処理部と、上記画像処理部で画像処理された画像データに基づき画像を形成する作像部と、上記画像処理部から上記作像部に出力される上記画像データと上記作像部にて作像する際の作像条件の作像条件データとを記録して保持するデータ記録保持部と、からなることを特徴とする画像形成装置。
【請求項２】
請求項１に記載の画像形成装置において、データ記録保持部は、記録し保持された作像条件データを参照し作像条件を調整して更新することを特徴とする画像形成装置。
【請求項３】
請求項１又は２に記載の画像形成装置において、データ記録保持部は、機種情報データを保持して、異なる機種間の作像条件データを補正して参照し調整することを特徴とする画像形成装置。
【請求項４】
請求項１、２又は３に記載の画像形成装置において、データ記録保持部は、機種情報データを更新することを特徴とする画像形成装置。
【請求項５】
請求項１、２、３又は４に記載の画像形成装置において、データ記録保持部は、通信回線口から通信回線を介して遠隔地からの機種情報データを更新することを特徴とする画像形成装置。
【請求項６】
請求項１、２、３、４又は５に記載の画像形成装置において、データ記録保持部は、画像データを出力して作像した際の作像条件が更新された場合の変更可能な作像条件データを更新することを特徴とする画像形成装置。
【請求項７】
請求項１、２、３、４、５又は６に記載の画像形成装置において、作像部は、電子写真方法でトナー画像を形成することを特徴とする画像形成装置。
【発明の詳細な説明】
【技術分野】
【０００１】
本発明は、画像形成装置に関し、詳しくは、内部の画像データ若しくは外部に出力する画像データを保持して画像を形成する印刷装置等のインクジェットプリンタ、電子写真方法でトナー画像を形成する複写機、ファクシミリ装置、プリンタ、あるいはこれ等の複合機等の画像形成装置に関する。
【背景技術】
【０００２】
近年、画像形成装置で、例えば、コピー機等のデジタル化がすすみ、これによりデジタル機特有の使用がされるようになっている。
例えば、出願人が製造販売する機種（リコーイマジオＭＦ８５７０／１０５ｐｒｏシリーズ）（製品名）では、コピー機のスキャナーで読み取った原稿画像の画像データを外部記憶装置のＣＤ−Ｒ／ＲＷに保存することができ、又、このＣＤ−Ｒ／ＲＷの画像データを別の機種（リコーイマジオＭＦ８５７０／１０５ｐｒｏシリーズ）で出力して形成画像のコピーを得ることができるようになっている。
又、コピー機本体に内蔵したＨＤＤにコピー機のスキャナーで読み込んだ原稿画像の画像データを保存でき、ＰＣからのプリント出力を画像データとして保存できる機能を有したデジタル複写機、いわゆるＭＦＰ機も公知である。
画像形成装置の画像読込部からの画像データ、又は、外部装置から送られてきた画像データを画像記憶部に一旦格納して保持し、画像データを出力する画像形成装置の作像条件を調整し、出力することは公知である（特許文献１を参照）。
又、ネットワーク上の情報の流れを管理するサーバーと、情報の入出力を行うための端末と、用紙に画像形成を行う複数の画像形成装置とがネットワークで接続され、サーバーは各画像形成装置のための作像条件を記憶する記憶装置を備える。端末から特定の画像形成装置へ印字を指示するコマンドと画像データが送られたとき、サーバーは上記記憶装置に記憶された画像形成装置のための作像条件を表すデータをその画像形成装置へ転送し、又、その作像条件を補正して、その補正後の作像条件を上記記憶装置に記憶させて、画像形成装置によって上記補正後の作像条件を用いて用紙上に画像データを印字することも、作像条件を更新することも公知である（特許文献２、特許文献３等を参照）。
上記のように、コピー機本体のＨＤＤにコピー機のスキャナーで読み込んだ画像データを保存し、ＰＣからのプリント出力を画像データとして保存できる機能は、紙データがなくとも、ＣＤに保存した画像データを送れば出力することができたり、ＨＤＤ内のデータを追加して出力することなどができるから、大変に便利になっている。
一方で、このようにスキャナーやＰＣからの画像データを保存して出力するような使い方をした際に、以前出力した画像と異なり、結局コピー枚数が増えてしまう等の不具合も見られるようになってきた。
これは、画像形成装置自体の機械差や、また同じ機械でも現像剤や、感光体の使用状況や設置環境の変動によるばらつきに主として起因するためである。
【特許文献１】特開２００１−２３２９０３公報
【特許文献２】特開２００１−６０１４８公報
【特許文献３】特開２０００−１６２８３１公報
【発明の開示】
【発明が解決しようとする課題】
【０００３】
従来の画像形成装置においては、上述のばらつきを是正するためには、以前に出力して形成した形成画像がどのような状態で出力されたか、あるいは、どのような形成画像が出力されたかが判明すればよいのであるが、以前の状態は容易には分からず、結局、コピー枚数が増えてしまう等と言う問題が発生していた。
そこで本発明の課題は、このような問題点を解決するものである。即ち、以前に出力して形成した形成画像がどのような状態で出力されたか、あるいは、どのような形成画像が出力されたかが容易に判明させることにより、結果的に、コピー枚数の増加を防止し低コストで小型の画像形成装置を提供することを目的とする。
【課題を解決するための手段】
【０００４】
上記目的を達成するために、請求項１に記載の本発明は、内部の画像データ若しくは外部に出力する画像データを保持して画像を形成する画像形成装置において、読み込まれた原稿画像を画像処理する画像処理部と、上記画像処理部で画像処理された画像データに基づき画像を形成する作像部と、上記画像処理部から上記作像部に出力される上記画像データと上記作像部にて作像する際の作像条件の作像条件データとを記録して保持するデータ記録保持部と、からなる画像形成装置であることを最も主要な特徴とする。
又は、請求項２に記載の本発明は、請求項１に記載の画像形成装置において、データ記録保持部は、記録し保持された作像条件データを参照し作像条件を調整して更新する画像形成装置であることを主要な特徴とする。
又は、請求項３に記載の本発明は、請求項１又は２に記載の画像形成装置において、データ記録保持部は、機種情報データを保持して、異なる機種間の作像条件データを補正して参照、調整する画像形成装置であることを主要な特徴とする。
又は、請求項４に記載の本発明は、請求項１、２又は３に記載の画像形成装置において、データ記録保持部は、機種情報データを更新する画像形成装置であることを主要な特徴とする。
又は、請求項５に記載の本発明は、請求項１、２、３又は４に記載の画像形成装置において、データ記録保持部は、通信回線口から通信回線を介して遠隔地からの機種情報データを更新する画像形成装置であることを主要な特徴とする。
又は、請求項６に記載の本発明は、請求項１、２、３、４又は５に記載の画像形成装置において、データ記録保持部は、画像データを出力して作像した際の作像条件が更新された場合の変更可能な作像条件データを更新する画像形成装置であることを主要な特徴とする。
又は、請求項７に記載の本発明は、請求項１、２、３、４、５又は６に記載の画像形成装置において、作像部は、電子写真方法でトナー画像を形成する画像形成装置であることを主要な特徴とする。
【発明の効果】
【０００５】
本発明は、以下に説明するように構成されているので、請求項１の発明によれば、以前に出力して形成した形成画像がどのような状態で出力されたか、あるいは、どのような形成画像が出力されたかが容易に分り、結局、コピー枚数の増加を防止する低コストで小型の画像形成装置を提供することが出来るようになった。
請求項２の発明によれば、以前に出力して形成した形成画像がどのような状態で出力されたか、あるいは、どのような形成画像が出力されたかが容易に分り、以前に出力して画像を形成した時と同じ形成画像が容易に得られ、結局、コピー枚数の増加を防止する低コストで小型の画像形成装置を提供することが出来るようになった。
請求項３の発明によれば、以前に出力して形成した形成画像がどのような状態で出力されたか、あるいは、どのような形成画像が出力されたかが容易に分り、異なる機種間でも以前に出力して画像を形成した時と同じ形成画像が容易に得られ、結局、コピー枚数の増加を防止する低コストで小型の画像形成装置を提供することが出来るようになった。
請求項４の発明によれば、以前に出力して形成した形成画像がどのような状態で出力されたか、あるいは、どのような形成画像が出力されたかが容易に分り、機種情報データを更新することが出来るので、新機種と古い機種と異なる機種間等でも以前に出力して画像を形成した時と同じ形成画像が容易に得られ、結局、コピー枚数の増加を防止する低コストで小型の画像形成装置を提供することが出来るようになった。
請求項５の発明によれば、以前に出力して形成した形成画像がどのような状態で出力されたか、あるいは、どのような形成画像が出力されたかが容易に分り、機種情報データを遠隔地からでも更新することが出来るので、新機種と古い機種と異なる遠隔地の機種間等でも以前に出力して画像を形成した時と同じ形成画像が容易に得られ、結局、コピー枚数の増加を防止する低コストで小型の画像形成装置を提供することが出来るようになった。
請求項６の発明によれば、以前に出力して形成した形成画像がどのような状態で出力されたか、あるいは、どのような形成画像が出力されたかが容易に分り、以前に出力して画像を形成した時と同じ形成画像が容易に得られ、データ記録保持部に記録して保持している画像データを出力して画像を形成する際に、作像条件が変更された場合に作像条件データを更新することで、もともと作像条件データがない場合には作像条件データがつき、次回から同じ形成画像が得られたり、あるいは、出力する形成画像への要望が変化した際等に次回出力して画像形成時に作像条件データを再び変更することなく出力することが出来て、結局、コピー枚数の増加を防止する低コストで小型の画像形成装置を提供することが出来るようになった。
請求項７の発明によれば、以前に出力して形成した形成画像がどのような状態で出力されたか、あるいは、どのような形成画像が出力されたかが容易に分り、結局、コピー枚数の増加を防止する低コストで小型の高速で高品質の画像を形成する画像形成装置を提供することが出来るようになった。
【発明を実施するための最良の形態】
【０００６】
次に、本発明の実施の形態は、図面を参照して詳細に説明する。
図１乃至図３において、図１は全体の構成を示し、図２は作像部の主要構成を示し、図３は電装部の主要接続状態を示す。内部の画像データ若しくは外部に出力する画像データを保持して画像を形成する画像形成装置０は、読み込まれた原稿画像を画像処理する画像処理部（ＩＰＵ）１と、上記画像処理部（ＩＰＵ）１で画像処理された画像データ２をデータ記録保持部５を介して出力して画像を形成する作像部３とを有し、データ記録保持部５では上記作像部３で出力して画像を形成する画像データ２と共に上記画像データ２を出力して作像した際の作像条件の作像条件データ４を記録して保持することにより、以前に出力して形成した形成画像がどのような状態で出力されたか、あるいは、どのような形成画像が出力されたかが容易に分り、結局、コピー枚数の増加を防止する装置として低コストで小型な装置を得ることができる。なお、図１、図３ではデータの種類を区別するため画像データ２、作像条件データ４、機種情報データ６をブロックを用いて図示するが、これらはデータである。
上記画像形成装置０のデジタル複写装置は、原稿画像を読み取る原稿画像読取装置８と、上記原稿画像読取装置８の下方に配置され、電子写真方法で上記データ記録保持部５に記録され保持される上記画像データ２と上記作像条件データ４とでトナー画像を形成する上記作像部３と、上記作像部３を載置する給紙装置９の給紙カセット９ａ、給紙カセット９ｂ、給紙カセット９ｃとからなり、高速で高品質のトナー画像を形成するようになっている。
上記原稿画像読取装置８の下方には、上記作像部３における電子写真方法でトナー画像が形成された被記録体（Ｐ）の記録用紙が排紙されてスタックされる胴内排紙部１０が配置されており、設置面積を少なくして省スペース化されている。
上記原稿画像読取装置８は、スキャナー８ａ、自動原稿搬送装置（ＡＤＦ）８ｂ、上記自動原稿搬送装置（ＡＤＦ）８ｂから送り出される原稿（Ｏ）をスタックする原稿排紙トレイ８ｃ等からなり、一体的に電装部１１の制御部と操作部１２の操作パネル１２ａを配置して固定されている。
【０００７】
上記自動原稿搬送装置（ＡＤＦ）８ｂの本体に固定支持された原稿台８ｂ１上には原稿（Ｏ）が載置され、図示していないプリントキーが押下されると、最上位の原稿（Ｏ）が本体に支持されたピックアップローラ８ｂ２の回転により、図示の矢印（Ａ）方向へ送り出され、本体に支持された原稿搬送ベルト８ｂ３の回転により、本体に固定されたコンタクトガラス８ａ１上に給送され、ここで停止する。
上記コンタクトガラス８ａ１上に載置された原稿（Ｏ）の原稿画像は、本体内の上記スキャナー８ａによって読み取られる。
上記スキャナー８ａは、上記コンタクトガラス８ａ１上の原稿（Ｏ）を照明する光源８ａ２と、原稿（Ｏ）の原稿画像を結像する光学系８ａ３と、原稿（Ｏ）の原稿画像が結蔵されるＣＣＤ８ａ４よりなる光電変換素子を有している。
原稿（Ｏ）の原稿画像の読み取り終了後、その原稿（Ｏ）は、上記原稿搬送ベルト８ｂ３の回転により図示の矢印（Ｂ）方向に搬送され、本体に固定された上記原稿排紙トレイ８ｃ上に排出される。
このようにして、原稿（Ｏ）が、１枚ずつ上記コンタクトガラス８ａ１上に給送され、その原稿（Ｏ）の原稿画像が上記スキャナー８ａによって読み取られるようになっている。
【０００８】
一方、電子写真方法により、高速で高品質のトナー画像が形成される上記作像部３の内部には、図２にも示すように像担持体３ａのドラム形状の感光体ドラムが回動可能に支持されて配置されている。
上記像担持体３ａのドラム形状の感光体ドラムは、図示の矢印（Ｃ）方向の時計方向に回転駆動され、この時、帯電チャージャ３ｂによって、上記像担持体３ａのドラム形状の感光体ドラムの表面が所定の電位に帯電される。
又、書き込みユニット３ｃのＬＤＢからは、上記原稿画像読取装置８の上記スキャナー８ａにより読み取られた上記画像データ２に応じて光変調されたレーザー光（Ｌ）が出射し、そのレーザー光（Ｌ）が帯電された上記像担持体３ａのドラム形状の感光体ドラムの表面を露光し、これによって、上記像担持体３ａのドラム形状の感光体ドラムの表面に静電潜像が形成される。
上記像担持体３ａのドラム形状の感光体ドラム表面に形成された静電潜像は、現像装置３ｄを通過する際に、顕像化され現像されて、対向する転写装置３ｅによって、上記像担持体３ａのドラム形状の感光体ドラムと上記転写装置３ｅの間に給送された被記録体（Ｐ）の記録用紙に転写されて記録される。
トナー画像が被記録体（Ｐ）の記録用紙に転写後の上記像担持体３ａのドラム形状の感光体ドラム表面は、クリーニング装置３ｆによって清掃されて、次工程の画像形成に備えられる。
更に、上記像担持体３ａのドラム形状の感光体ドラムの外周には、電位センサ３ｇ、分離爪３ｈ、Ｐセンサ３ｉ、除電ランプ３ｊ等が配置されている。
上記作像部３の下部には、上記給紙装置９が配置され、被記録体（Ｐ）の記録用紙を収容した複数のいずれかの上記給紙カセット９ａ、上記給紙カセット９ｂ、上記給紙カセット９ｃから図示の矢印（Ｄ）方向に送り出されて、その被記録体（Ｐ）の記録用紙の表面に、上述のように上記像担持体３ａのドラム形状の感光体ドラム表面に形成されたトナー画像が転写される。
上記給紙装置９の隣には、トナーを上記現像装置３ｄに補給するトナーバンク１３のトナーボトルや廃棄トナーを回収して収容する廃棄トナーボトル１４等も配置されている。
【０００９】
次に、被記録体（Ｐ）の記録用紙は図示の矢印（Ｅ）方向に上記作像部３内の定着装置３ｋを通過し、この時の熱と圧力の作用によって、被記録体（Ｐ）の記録用紙表面に転写されたトナー画像がその表面に定着される。
上記定着装置３ｋを通過した被記録体（Ｐ）の記録用紙は、排出ローラ対３ｌによって搬送され、図示の矢印（Ｆ）方向に排出されて、上記胴内排紙部１０にスタックされ収納される。
又は、上記定着装置３ｋを通過した被記録体（Ｐ）の記録用紙は、反転爪３ｍによって反転移送部３ｎに反転して搬送されるようにもなっている。
上記画像形成装置０では、上記原稿画像読取装置８の上記スキャナー８ａで原稿（Ｏ）の原稿画像を読み込むと、上記電装部１１の上記画像処理部（ＩＰＵ）１にて画像処理されて上記データ記録保持部５に記録され保持された上記画像データ２に従い上記書き込みユニット３ｃのＬＤＢにて書き込みが行われる。電装部１１では、図３にて示すようにＣＣＤ８ａ４からの画像データをＩＰＵ１よりレーザ光として出力する。また、このＩＰＵ１を有するＳＩＣＵでは操作部１２、スキャナ８ａの制御部分、あるいはデータ記憶保持部５等に対し入出力が行われる。
【００１０】
上記画像形成装置０では、図示していない電源スイッチオン（ＯＮ）の電源投入時に、上記電位センサ３ｇの校正、上記帯電チャージャ３ｂの帯電電位の調整、上記書き込みユニット３ｃのＬＤ光量による中間電位の調整等が行われるようになっている。
上記画像形成装置０における上記現像装置３ｄでは２成分現像を行っており、トナー濃度制御はＰセンサ３ｉの検知値によりＴセンサ制御値を決定して、Ｔセンサ値（実測値）とＴセンサ制御値との比較によりトナーの補給を行っている。
そして、Ｐセンサパタンは、作像終了時に作成され、Ｐパタンの電位を上記電位センサ３ｇにて検知し、設定されているＰセンサポテンシャルになるように、上記現像装置３ｄの現像バイアスを調整してＰパタンを作成している。
又、サービスマンモードにて、作像時の上記現像装置３ｄの現像バイアス、Ｐセンサポテンシャルを調整することが出来るようになっている。
これまでは、上記画像処理部（ＩＰＵ）１にて画像処理された上記画像データ２は、上記データ記録保持部５のＨＤＤ、あるいは、ＣＤ−Ｒ／ＲＷに記録して保持されていた。
しかし、上記画像形成装置０における上記データ記録保持部５のＨＤＤ、あるいは、ＣＤ−Ｒ／ＲＷには、上記画像データ２と、共に、帯電電位データ、現像バイアスデータ、Ｐポテンシャルデータ、Ｐパタン部電位データ、Ｐセンサ検知値、画像モード、ノッチ、その他等の作像条件の上記作像条件データ４を記録して保持するようになっている。
図示しないコピーサーバーに文書を蓄積するだけの場合には、出力して印刷しないので、上記データ記録保持部５のＨＤＤ、あるいは、ＣＤ−Ｒ／ＲＷには、上記画像データ２のみ蓄積し、上記作像条件データ４を上記データ記録保持部５のＨＤＤ、あるいは、ＣＤ−Ｒ／ＲＷには記録しない。
蓄積と同時に出力して印刷する場合には、上記画像データ２に加え、上記作像条件データ４を上記データ記録保持部５のＨＤＤ、あるいは、ＣＤ−Ｒ／ＲＷに記録して保持するようにした。
図示しないが、上記画像形成装置０内部の上記データ記録保持部５のＨＤＤではなく、外部の記録装置のＣＤ、ＤＶＤ等に記録する際も同じである。
従って、以前に出力して形成した形成画像がどのような状態で出力されたか、あるいは、どのような形成画像が出力されたかが容易に分り、結局、コピー枚数の増加を防止する低コストで小型の高速で高品質の画像を形成する上記画像形成装置０を提供することができるようになっている。
上記画像形成装置０は、上記データ記録保持部５のＨＤＤ、あるいは、ＣＤ−Ｒ／ＲＷに記録して保持する上記画像データ２を出力して画像を形成する際に、上記データ記録保持部５のＨＤＤ、あるいは、ＣＤ−Ｒ／ＲＷに記録して保持している上記作像条件データ４と、これから出力して画像を形成する上記画像形成装置０の上記作像条件データ４を比較して、異なる場合には、次のように、記録して保持する上記作像条件データ４を参照して作像条件を調整して更新してから出力を開始する。
【００１１】
図４において、フローチャートを示す。スタートで、まず、始めに、上記作像条件データ４の現像バイアス、Ｐポテンシャル、画像モード、ノッチ、その他等の設定値を設定する（ステップ１）。次に、これから出力して画像を形成する上記画像形成装置０の上記作像条件データ４の帯電電位データと上記データ記録保持部５のＨＤＤ、あるいは、ＣＤ−Ｒ／ＲＷに記録して保持している上記作像条件データ４の帯電電位データを比較して（ステップ２）、±２０Ｖ以上違う場合は上記帯電チャージャ３ｂのグリッド電圧を調整して作像条件の帯電電位を調整する（ステップ３）。±２０Ｖ以内ならば、次に、これから出力して画像を形成する上記画像形成装置０の上記作像条件データ４のＰパタン部電位データと上記データ記録保持部５のＨＤＤ、あるいは、ＣＤ−Ｒ／ＲＷに記録して保持している上記作像条件データ４のＰパタン部電位データを比較して（ステップ４）、±２０Ｖ以上違う場合は上記書き込みユニット３ｃのＬＤＢのＬＤ光量を調整して作像条件のＰパタン部電位を調整する（ステップ５）。±２０Ｖ以内ならば、次に、これから出力して画像を形成する上記画像形成装置０の上記作像条件データ４のＰセンサ検知値Ｖｓｐと上記データ記録保持部５のＨＤＤ、あるいは、ＣＤ−Ｒ／ＲＷに記録して保持している上記作像条件データ４のＰセンサ検知値Ｖｓｐを比較して（ステップ６）、±０．０５以上違う場合は上記現像装置３ｄのトナー消費/補給を行い調整する（ステップ７）。±０．０５以内ならば作像開始となり、上記データ記録保持部５のＨＤＤ、あるいは、ＣＤ−Ｒ／ＲＷに記録して保持している上記画像データ２を出力して被記録体（Ｐ）の記録用紙に画像を形成して（ステップ８）、エンドで終了する。
これにより、以前に出力して画像を形成した時と同じ形成画像が容易に得られるようになった。
従って、以前に出力して形成した形成画像がどのような状態で出力されたか、あるいは、どのような形成画像が出力されたかが容易に分り、以前に出力して画像を形成した時と同じ形成画像が容易に得られ、結局、コピー枚数の増加を防止する低コストで小型の上記画像形成装置０を提供することができるようになった。
上記画像形成装置０は、上記画像データ２と上記作像条件データ４に加えて、機種情報データ６を上記データ記録保持部５のＨＤＤ、あるいは、ＣＤ−Ｒ／ＲＷに記録して保持していて、例えば、異なる機種Ａと機種Ｂ間の上記作像条件データ４を補正して参照、調整することができ、また、機種データを更新できるようになっている（図１と図３を参照）。
上記画像形成装置０の本体内には、他機種の上記機種情報データ６を自機種の機種情報データ６に変換する変換データと演算部分を有している。
【００１２】
図５と図６において図示するように、上記画像形成装置０のＡ機の上記機種情報データ６を上記データ記録保持部５のＣＤ−Ｒ／ＲＷに記録して保持していて、別の上記画像形成装置０のＢ機で出力して画像を形成する例である。
別の上記画像形成装置０のＢ機は、上記電位センサ３ｇを搭載せず、上記Ｐセンサと図示しないＴセンサにてトナー補給制御を行っている機械であるため電位調整はできない。
別の上記画像形成装置０のＢ機の電位の狙い値は例えば-９００Ｖとされており、現像バイアス-７００Ｖ、Ｐポテンシャルは３００Ｖ（狙い値）であるが、上記画像形成装置０のＡ機が狙い中心のデータのときには、別の上記画像形成装置０のＢ機も狙い中心値で出力するようになっている。
図示の例では、上記画像形成装置０のＡ機のＰパタン部電位が狙いより高く明るいために、別の上記画像形成装置０のＢ機では上記書き込みユニット３ｃのＬＤＢのＬＤ光量を落し、又、上記画像形成装置０のＡ機のＰセンサ検知値が狙いより大きいために、別の上記画像形成装置０のＢ機も狙い０.１より大きくした値を狙い値とするように、図示の変換テーブルの変換データにより決定されるようになっている。
そして、形成画像を被記録体（Ｐ）の記録用紙に出力する際には、Ｐセンサ検知値が狙い値範囲であればそのまま出力して被記録体（Ｐ）の記録用紙に画像を形成し、範囲外の時には調整後に被記録体（Ｐ）の記録用紙に画像を形成して出力する。
これにより、上記画像形成装置０のＡ機と別の上記画像形成装置０のＢ機の異なる機種間でも機種情報データを保持して、Ａ機及びＢ機間すなわち異なる機種間の作像条件データを補正して参照し調整することにより、以前に出力したのと同じ形成画像が得られる。
従って、以前に出力して形成した形成画像がどのような状態で出力されたか、あるいは、どのような形成画像が出力されたかが容易に分り、異なる機種間でも以前に出力して画像を形成した時と同じ形成画像が容易に得られ、結局、コピー枚数の増加を防止する低コストで小型の上記画像形成装置０を提供することが出来るようになった。
上記画像形成装置０は、図３に示すように通信回線口７を有する。
上記通信回線口７から図示しない通信回線を介して遠隔地からでも、上記データ記録保持部５のＨＤＤ、あるいは、ＣＤ−Ｒ／ＲＷに記録して保持している上記機種情報データ６を更新することができるようになっている。
これにより、上記画像形成装置０の変換テーブルは、例えば、新機種が出る毎に、容易に更新することができるようになっている。
従って、以前に出力して形成した形成画像がどのような状態で出力されたか、あるいは、どのような形成画像が出力されたかが容易に分り、上記機種情報データ６を遠隔地からでも更新することが出来るので、例えば、新機種と古い機種と異なる遠隔地の機種間等でも以前に出力して画像を形成した時と同じ形成画像が容易に得られ、結局、コピー枚数の増加を防止する低コストで小型の上記画像形成装置０を提供することが出来るようになった。
【００１３】
上記画像形成装置０は、上記データ記録保持部５のＨＤＤ、あるいは、ＣＤ−Ｒ／ＲＷに記録して保持する上記画像データ２を出力して画像を形成する際に、上記データ記録保持部５のＨＤＤ、あるいは、ＣＤ−Ｒ／ＲＷに記録して保持している上記作像条件データ４と、これから出力して画像を形成する上記画像形成装置０の上記作像条件データ４を比較して、異なる場合には、次のように、記録して保持する上記作像条件データ４を参照して作像条件を調整して、試しコピー終了後に設定されたモード（画像モード、ノッチ）にて継続してコピーがされ、上記作像条件データ４が変更可能場合には更新してから出力を開始するようになっている。
以前はその上記作像条件データ４の出力で満足していたが、もう少し濃くした方がいいなどの要望が出た際に、容易に対応できる。
又、別の実施例では、上記画像データ２を記録して保持して、出力しなかった際の上記画像データ２を出力して被記録体（Ｐ）の記録用紙に画像を形成した際に、その時の上記作像条件データ４に更新するということも可能である。
【００１４】
図７において、スタートで、まず、始めに、上記作像条件データ４の現像バイアス、Ｐポテンシャル、画像モード、ノッチ、その他等の設定値を設定する（ステップ１１）。次に、これから出力して画像を形成する上記画像形成装置０の上記作像条件データ４の帯電電位データと上記データ記録保持部５のＨＤＤ、あるいは、ＣＤ−Ｒ／ＲＷに記録して保持している上記作像条件データ４の帯電電位データを比較して（ステップ１２）、±２０Ｖ以上違う場合は上記帯電チャージャ３ｂのグリッド電圧を調整して作像条件の帯電電位を調整する（ステップ１３）。±２０Ｖ以内ならば、次に、これから出力して画像を形成する上記画像形成装置０の上記作像条件データ４のＰパタン部電位データと上記データ記録保持部５のＨＤＤ、あるいは、ＣＤ−Ｒ／ＲＷに記録して保持している上記作像条件データ４のＰパタン部電位データを比較して（ステップ１４）、±２０Ｖ以上違う場合は上記書き込みユニット３ｃのＬＤＢのＬＤ光量を調整して作像条件のＰパタン部電位を調整する（ステップ１５）。±２０Ｖ以内ならば、次に、これから出力して画像を形成する上記画像形成装置０の上記作像条件データ４のＰセンサ検知値Ｖｓｐと上記データ記録保持部５のＨＤＤ、あるいは、ＣＤ−Ｒ／ＲＷに記録して保持している上記作像条件データ４のＰセンサ検知値Ｖｓｇを比較して（ステップ１６）、±０．０５以上違う場合は上記現像装置３ｄのトナー消費/補給を行い調整する（ステップ１７）。±０．０５以内ならば試しコピースタートして（ステップ１８）、そのまま継続して出力して画像を形成するかどうかを判断して（ステップ１９）、そのまま継続して出力して画像を形成しないならば、作像条件の現像バイアス、Ｐポテンシャル、画像モード、ノッチ、その他等の設定値を変更して（ステップ２０）、試しコピースタートして（ステップ２１）、そのまま継続して出力して画像を形成するかどうかを判断して（ステップ２２）、そのまま継続して出力して画像を形成しないならば（ステップ２０）に戻る。そのまま継続して出力して画像を形成するならば作像条件の画像モード、ノッチ、その他等は変更されたかを判断して（ステップ２３）、作像条件の画像モード、ノッチ、その他等は変更されていないならば（ステップ２６）へ、作像条件の画像モード、ノッチ、その他等は変更されていれば上記データ記録保持部５のＨＤＤ、あるいは、ＣＤ−Ｒ／ＲＷに記録して保持している上記作像条件データ４の画像モード、ノッチ、その他等は変更可能であるかを判断して（ステップ２４）、上記データ記録保持部５のＨＤＤ、あるいは、ＣＤ−Ｒ／ＲＷに記録して保持している上記作像条件データ４の画像モード、ノッチ、その他等は変更可能でないならば（ステップ２６）へ移る。上記データ記録保持部５のＨＤＤ、あるいは、ＣＤ−Ｒ／ＲＷに記録して保持する上記作像条件データ４の画像モード、ノッチ、その他等は変更可能であれば変更、更新の調整をして（ステップ２５）、調整完了後に（ステップ２６）へ、（ステップ１９）でそのまま継続して出力して画像を形成するならば、作像開始となり、上記データ記録保持部５のＨＤＤ、あるいは、ＣＤ−Ｒ／ＲＷに記録して保持している上記画像データ２を出力し��被記録体（Ｐ）の記録用紙に画像を形成して（ステップ２６）、エンドで終了する。
【００１５】
従って、以前に出力して形成した形成画像がどのような状態で出力されたか、あるいは、どのような形成画像が出力されたかが容易に分り、以前に出力して画像を形成した時と同じ形成画像が容易に得られ、上記データ記録保持部５のＨＤＤ、あるいは、ＣＤ−Ｒ／ＲＷに記録して保持している上記画像データ２を出力して被記録体（Ｐ）の記録用紙に画像を形成する際に、作像条件が変更された場合に上記作像条件データ４を更新することで、もともと上記作像条件データ４がない場合には上記作像条件データ４がつき、次回から同じ形成画像が得られたり、あるいは、出力する形成画像への要望が変化した際等に次回出力して画像形成時に上記作像条件データ４を再び変更することなく出力することが出来て、結局、コピー枚数の増加を防止する低コストで小型の上記画像形成装置０を提供することができるようになった。
【図面の簡単な説明】
【００１６】
【図１】本発明の実施の形態例を示す画像形成装置を示す全体構成図。
【図２】本発明の実施の形態例を示す画像形成装置の主要部を示す構成図。
【図３】本発明の実施の形態例を示す画像形成装置の他の主要部を説明するブロック図。
【図４】本発明の実施の形態例を示す画像形成装置の他の主要部の動作を説明するフローチャート。
【図５】本発明の実施の形態例を示す画像形成装置の他の主要部を説明するブロック図。
【図６】本発明の実施の形態例を示す画像形成装置の他の主要部を説明する説明図。
【図７】本発明の実施の形態例を示す画像形成装置の他の主要部の他の動作を説明するフローチャート。
【符号の説明】
【００１７】
０  画像形成装置
１  画像処理部（ＩＰＵ）
２  画像データ
３  作像部、
３ａ  像担持体、
３ｂ  帯電チャージャ、
３ｃ  書き込みユニット、
３ｄ  現像装置、
３ｅ  転写装置、
３ｆ  クリーニング装置、
３ｇ  電位センサ、
３ｈ  分離爪、
３ｉ  Ｐセンサ、
３ｊ  除電ランプ、
３ｋ  定着装置、
３ｌ  排出ローラ対、
３ｍ  反転爪、
３ｎ  反転移送部
４  作像条件データ
５  データ記録保持部
６  機種情報データ
７  通信回線口
８  原稿画像読取装置、
８ａ  スキャナー、
８ａ１  コンタクトガラス、
８ａ２  光源、
８ａ３  光学系、
８ａ４  ＣＣＤ、
８ｂ  自動原稿搬送装置（ＡＤＦ）、
８ｂ１  原稿台、
８ｂ２  ピックアップローラ、
８ｂ３  原稿搬送ベリト、
８ｃ  原稿排紙トレイ
９  給紙装置、
９ａ  給紙カセット、
９ｂ  給紙カセット、
９ｃ  給紙カセット、
１０  胴内排紙部
１１  電装部
１２  操作部、
１２ａ  操作パネル
１３  トナーバンク
１４  廃棄トナーボトル
【図１】
2005258304.tif 000003
【図２】
2005258304.tif 000004
【図３】
2005258304.tif 000005
【図４】
2005258304.tif 000006
【図５】
2005258304.tif 000007
【図６】
2005258304.tif 000008
【図７】
2005258304.tif 000009